(57)【要約】【課題】この発明は、未知の建造物の模型を、恰も既知の建造物模型の如くに製作することを目的としたものである。【解決手段】この発明は、目的とする建造物を画面上に表示し、その外装について、色彩、形状、模様その他必要な事項をデジタル化し、画像処理ソフトを用いて画像処理して模型寸法に調整した後、前記建造物の外面の色彩、形状、模様をカラープリンター等の画像出力機でプリントを出力し、このプリントを建造物の模型の対応面に貼着することを特徴とした建造物模型の製作方法により目的を達成した。【選択図】      図１
2004333777.tif 000002
【特許請求の範囲】
【請求項１】
目的とする建造物を画面上に表示し、その外装について、色彩、形状、模様その他必要な事項をデジタル化し、画像処理ソフトを用いて画像処理して模型寸法に調整した後、前記建造物の外面の色彩、形状、模様をカラープリンター等の画像出力機でプリントを出力し、このプリントを建造物の模型の対応面に貼着することを特徴とした建造物模型の製作方法。
【請求項２】
外装材料その他を写真に撮り、この写真を電子化して入力し、画像処理することを特徴とした請求項１記載の建造物模型の製作方法。
【請求項３】
外面は各面毎又は外周面毎を１単位面としてカラープリントすることを特徴とした請求項１記載の建造物の製作方法。
【発明の詳細な説明】
【発明の属する技術分野】
この発明は、将来都市の模型などのように、将来建造すべき建造物の模型を作ることを目的とした建造物模型の製作方法に関する。
【従来の技術】
従来の模型は、既存の建造物の模型又は将来建造すべき建造物の模型などが知られているが、何れも人の労力を主とする手作りが主流であり、使用材料などの進歩はあるが、造形については、製作者の技術に依存している。
既製の建物については、撮影と、画像処理の技術を駆使して、より実物に近い模型の製作の提案がある。
【特許文献１】特許第２５０９５３１号
【発明により解決しようとする課題】
前記従来の人力を主とする場合には、製作に長時間を要するのみならず、製作者の技術によって模型の出来、不出来を左右する問題点があった。
また将来（未来）都市模型においては、試行錯誤があって、無駄な労力を費やすおそれがあった。
前記既製建造物の模型については、変更する余地はないので、写真撮影と、画像処理をもっぱらとするけれども、将来都市などの模型は、一つ一つの建造物自体から決めなければならないし、外観、設備、色彩などについて諸般の事情を考慮して決めなければならない問題点があった。
【課題を解決するための手段】
この発明は、建造物の設計図、構造図、外観、配置、その他一切の事項及び外装材料の写真などをデジタル化し、これを画像処理ソフトを用いて画像処理した後、模型の縮尺に調整し、カラープリントする。
このプリントを模型の矩体（又はブロック）に貼着すれば、画像処理した未来建造物の模型が完成することになる。
即ちこの発明は、目的とする建造物を画面上に表示し、その外装について、色彩、形状、模様その他必要な事項をデジタル化し、画像処理ソフトを用いて画像処理して模型寸法に調整した後、前記建造物の外面の色彩、形状、模様をカラープリンター等の画像出力機でプリントを出力し、このプリントを建造物の模型の対応面に貼着することを特徴とした建造物模型の製作方法である。また、外装材料その他を写真に撮り、この写真を電子化して入力し、画像処理することを特徴としたものであり、外面は各面毎又は外周面毎を１単位面としてカラープリントすることを特徴としたものである。
前記発明においては、設計図、構造図その他未来建造物の要点をデジタル化し、これに、使用可能（又は選定した）外装を任意に被着し、十分にシミュレーションしてから決定するのに不足不満は悉く解消された理想的外観の模型が完成する。
前記において画像処理は自由奔放に出来るので、理想的建造物が実現できると共に、実物のミニチュアとしての特性を有する。従って、景観のみならず、音響、風圧、風速などの影響も予測できると共に、景観とされる景色についても予め定めた方針に従ってまとめ上げることができる。
特に外装の自由度があると共に、建造物の設備の改良も視野に入れて最良の模型とすることができる。
【発明の実施の形態】
この発明は、未来建造物の模型を製作する時に用いる製作方法である。
この発明は、設計図、構造図、その他未来建造物の構想物をデジタル化すると共に当該建造物に用いる外装、窓その他の外観などを映像（写真を撮り）をデジタル化して前記設計図のデジタル化したデータと共に画像処理ソフトにより画像処理し、これを縮尺に沿って縮小したまま、カラープリントなどによりプリントする。
前記カラープリントを、模型の矩体（ブロックなど）に貼り付ければ、この発明の未来形建造物の模型が出来上がる。
この発明は、全く経験のない未来建造物を取り扱うために、間違いを生じることもあるが、これを画像処理によってより良い景観に詰めることができる。
そこで、各建造物から全体建造物に対するバランス、風その他の外力の影響など幾多の改善を提案することもできる。
また、この発明は、未来建造物の矩体を縮尺通りに立ち上げた建造物に、前記のようにして調整したカラープリントを貼着するものである。
前記カラープリントは、予め未来建造物を想定し、模型の縮尺に合わせて作成したものであるから、実物の縮尺模型と同一である。
前記カラープリントを製作する過程では、各種画像処理を行うので、建造物全体のバランス上設計変更を提案することもできるという副次的効果もあり得る。
従来の模型は、あくまでも実在物のミニチュア版であるが、この発明は実在物でなく、未来物の建造物の模型である点に特質がある。
然し乍ら、既設の建造物であっても、その設計図、構造図、及び外装その他の設備などの写真を撮ることができれば、前記と同様の手法により模型を製作することができる。
【実施例】
この発明の実施例を図１に基づいて説明すると、設計図、構造図、外観予想図及び外装材写真その他外観とされる対象物を全てデジタル化して、これを画像処理し、更に必要な情報（例えば近隣の写真）を入力して完成図を製作する。
一方模型を載せるべき台盤１上に、建造物の矩体（木製ブロック）２を計画図に沿って配列する。
この場合に、計画地域内の地形は、地図に基づいて正確に表現する。但し、古代模型のように数百年〜数千年前の地形模型を製作する場合には、現代地図に基づき、考古学的に判明している事項をデジタル処理して折り込み、画像処理の上、対応地域に貼着する。
そこで、山３、河川４、原野５の高低、形状は、例えば板（ブロック）を彫刻して成形する（図３）。例えば、実施例は、平地へ都市を建設する場合の模型とし、地盤は平地とする。前記建造物の矩体２へ、前記画像処理し、かつ縮尺を合わせたカラープリント６を貼着すれば、この発明の建造物の模型１０が完成される。
前記において、カラープリント６には、外装（例えばタイル）７、窓８、出入口ドアー９などが、計画した形状、模様、色彩のもとに表示されているので、模型１０を見る者にとって、恰も完成した建造物を、高所（展望台、航空機など）から見たようになる。図１１は屋上プリントである。
従って、未来の建造物を客観的に、しかも真実に近い外観のもとに観察できるので、その利点欠点を容易に指摘し、訂正することもできる。
例えば、建造物の外装などは、外装見本の場合と、実際使用の場合との相違が明らかとなり、より客観的判断を下すことができる。
前記カラープリントの材料として弾力性のある合成樹脂フィルムを用い、貼着時に加熱加圧して貼着すれば、矩体が曲面であっても、皺を生じることなく、矩体曲面に忠実な曲面を表現することができる。
【発明の効果】
この発明は、未知の建造物の設計図、構造図又は映像上に描き出した建造物を画像処理し、かつ外装等の実物写真もデジタル化して加えた後、画像処理してから、所定の縮尺に沿ってカラープリントしたので、これを模型矩体（ブロック）に貼着することによって、未知の建造物を、既知の建造物として表現し得る効果がある。
【図面の簡単な説明】
【図１】この発明の実施例のブロック図。
【図２】同じく製作の流れ図。
【図３】同じく都市模型の斜視図。
【符号の説明】
１  台盤
２  矩体
３  山
４  河川
５  原野
６  カラープリント
７  外装
８  窓
９  ドアー
１０  模型
【図１】
2004333777.tif 000003
【図２】
2004333777.tif 000004
【図３】
2004333777.tif 000005